(57)【要約】【課題】写真館等でデジタル撮影された顧客の画像の画像ファイルのファイル名を顧客の特定が可能なファイル名にリネームし、リネームした画像ファイルを顧客の特定が可能なフォルダ名を有する顧客別フォルダに保存する。【解決手段】顧客に渡されるＤＰ袋からＤＰ袋番号を読み込み、これを顧客ＩＤにし、顧客ＩＤをフォルダ名とする顧客別フォルダを作成する（ステップＳ２０、Ｓ２２）。デジタルカメラ４０から画像ファイルが転送される監視フォルダを監視し（ステップＳ２４）、監視フォルダ内に画像ファイルが保存されると、その画像ファイルのファイル名を、顧客ＩＤ＋撮影日＋撮影番号（連番）＋拡張子による新たなファイル名にリネームし、リネームした画像ファイルを監視フォルダから顧客ＩＤと同じフォルダ名を有する顧客別フォルダに移動させる（ステップＳ２８、Ｓ３０、Ｓ３２）。【選択図】      図３
2005109760.tif 000002
【特許請求の範囲】
【請求項１】
写真撮影を行う顧客ごとにユニークな識別情報を入力する識別情報入力手段と、
前記識別情報入力手段によって入力された識別情報に基づいて前記識別情報を有するフォルダ名のフォルダを顧客別フォルダとして自動生成するフォルダ作成手段と、
前記顧客の画像を撮影するデジタルカメラから撮影毎に出力される画像ファイルであって、前記デジタルカメラによって自動的にファイル名が生成された画像ファイルを取り込み、監視フォルダに保存させる画像入力手段と、
前記監視フォルダに新たな画像ファイルが保存されたか否かを監視する監視手段と、
前記監視手段によって前記監視フォルダに画像ファイルが保存されたことが検知されると、前記識別情報入力手段によって入力された識別情報と前記顧客の画像の画像番号を示す連番とを含むファイル名を自動生成するファイル名自動生成手段と、
前記監視手段によって前記監視フォルダに画像ファイルが保存されたことが検知されると、その検知された画像ファイルのファイル名を前記ファイル名自動生成手段によって生成されたファイル名に変更するファイル名変更手段と、
前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、
を備えたことを特徴とする画像保存装置。
【請求項２】
写真撮影を行う顧客ごとにユニークな識別情報を入力する識別情報入力手段と、
前記識別情報入力手段によって入力された識別情報に基づいて前記識別情報を有するフォルダ名のフォルダを顧客別フォルダとして自動生成するフォルダ作成手段と、
前記顧客の画像を撮影するデジタルカメラの記録メディアに記録され、該デジタルカメラによって自動的にファイル名が生成された画像ファイルを読み出すためドライブ内のフォルダを監視フォルダとし、該監視フォルダに画像ファイルが保存されたか否かを監視する監視手段と、
前記監視手段によって前記監視フォルダに画像ファイルが保存されたことが検知されると、前記識別情報入力手段によって入力された識別情報と前記顧客の画像の画像番号を示す連番とを含むファイル名を自動生成するファイル名自動生成手段と、
前記監視手段によって前記監視フォルダに画像ファイルが保存されたことが検知されると、その検知された画像ファイルのファイル名を前記ファイル名自動生成手段によって生成されたファイル名に変更するファイル名変更手段と、
前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、
を備えたことを特徴とする画像保存装置。
【請求項３】
前記識別情報は、ＤＰ袋に印刷されているＤＰ袋情報である請求項１又は２に記載の画像保存装置。
【請求項４】
前記ＤＰ袋に印刷されているＤＰ袋情報はバーコードからなり、前記識別情報入力手段はバーコードリーダであることを特徴とする請求項３に記載の画像保存装置。
【請求項５】
顧客を特定するための顧客情報を入力する顧客情報入力手段と、前記識別情報入力手段によって前記識別情報とともに、前記顧客情報入力手段によって顧客情報が入力されると、前記識別情報に関連付けて顧客情報が登録された顧客データベースを作成する顧客データベース作成手段とを有することを特徴とする請求項１又は２に記載の画像保存装置。
【請求項６】
前記監視フォルダに保存された画像ファイルにサムネイル画像が付属情報として付加されているか否かを判別する判別手段と、前記判別手段によってサムネイル画像が付加されていないと判別されると、前記画像ファイル内の主画像からサムネイル画像を作成して前記ファイル名が変更される画像ファイルの付属情報として付加する手段と、を有することを特徴とする請求項１又は２に記載の画像保存装置。
【請求項７】
写真撮影を行う顧客ごとにユニークな識別情報を入力するステップと、
前記入力された識別情報に基づいて前記識別情報を有するフォルダ名のフォルダを顧客別フォルダとして自動生成するステップと、
前記顧客の画像を撮影するデジタルカメラから撮影毎に出力される画像ファイルであって、前記デジタルカメラによって自動的にファイル名が生成された画像ファイルを取り込み、監視フォルダに保存させるステップと、
前記監視フォルダに新たな画像ファイルが保存されたか否かを監視するステップと、
前記監視フォルダに画像ファイルが保存されたことが検知されると、前記入力された識別情報と前記顧客の画像の画像番号を示す連番とを含むファイル名を自動生成するステップと、
前記監視フォルダに画像ファイルが保存されたことが検知されると、その検知された画像ファイルのファイル名を前記ファイル名自動生成手段によって生成されたファイル名に変更するステップと、
前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、
を含むことを特徴とする画像保存方法。
【請求項８】
写真撮影を行う顧客ごとにユニークな識別情報を入力するステップと、
前記入力された識別情報に基づいて前記識別情報を有するフォルダ名のフォルダを顧客別フォルダとして自動生成するステップと、
前記顧客の画像を撮影するデジタルカメラの記録メディアに記録され、該デジタルカメラによって自動的にファイル名が生成された画像ファイルを読み出すためドライブ内のフォルダを監視フォルダとし、該監視フォルダに画像ファイルが保存されたか否かを監視するステップと、
前記監視フォルダに画像ファイルが保存されたことが検知されると、前記入力された識別情報と前記顧客の画像の画像番号を示す連番とを含むファイル名を自動生成するステップと、
前記監視フォルダに画像ファイルが保存されたことが検知されると、その検知された画像ファイルのファイル名を前記ファイル名自動生成手段によって生成されたファイル名に変更するステップと、
前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、
を含むことを特徴とする画像保存方法。
【発明の詳細な説明】
【技術分野】
【０００１】
本発明は画像保存装置及び方法に係り、特に写真館や撮影スタジオ等でデジタル撮影された顧客別の複数の画像を整理して保存する画像保存装置及び方法に関する。
【背景技術】
【０００２】
写真館や撮影スタジオ等においてデジタルカメラで撮影された顧客のデジタル画像は、一旦パーソナルコンピュータのハードディスク等の大容量の記録媒体に記録される。その後、記録媒体から顧客別に画像を読み出してディスプレイに表示させ、写真プリントする画像の選択等が行われる。
【０００３】
また、従来のファイル管理装置として特許文献１に記載のものがある。このファイル管理装置は、監視フォルダに原ファイル名を有するファイルが入ったか否かを監視し、ファイルが入ったことを感知すると、格納先識別子付きファイル名を作成し、原ファイル名を前記作成した格納先識別子付きファイル名に変更（リネーム）する。リネーム後、そのファイルをファイル振分け分配フォルダに移動させる。ファイル振分けフォルダにリネーム後のファイルが入ると、格納先識別子付きファイル名の格納先識別子と同じ名前の階層フォルダを順次作成し、格納先識別子付きファイル名の最後の格納先情報と同じ名前の階層フォルダの配下に格納先識別子付きファイルを格納するようにしている。
【特許文献１】特開２００１−１８８６９７号公報
【発明の開示】
【発明が解決しようとする課題】
【０００４】
ところで、デジタルカメラから得られる個々の画像ファイルには、顧客を特定するための情報がないため、画像ファイルと顧客との関係が分からなくなるという問題がある。即ち、デジタルカメラから得られる画像ファイルは、通常、ＤＣＦ（Design rule for Camera File system: デジタルカメラの業界統一記録フォーマット) による命名規則にしたがってファイル名が自動的に付けらているが、ＤＣＦ規定によりファイル名が付けられた画像ファイル（ＤＣＦファイル）のファイル名からは顧客を識別することができず、また、デジタルカメラ用のExif(Exchangeable image file format ）ファイル規定により作成されたExifファイルのExifタグ情報からも顧客を識別することができない。
【０００５】
また、顧客別のフォルダを事前に作成しておき、デジタルカメラから取得した顧客別の画像ファイルを対応する顧客別フォルダに格納するようにすれば、その後の顧客別の画像の管理がしやすくなるが、顧客を一意に特定することができるフォルダ名を有する顧客別フォルダの作成は煩雑であり、また、一旦顧客別フォルダから取り出された画像ファイルは、いずれの顧客のものであるかが不明になるという問題がある。
【０００６】
尚、特許文献１に記載の発明は、原ファイル名をリネームする格納先識別子付きファイル名を、ソフト利用者が入力画面を用いて手作業で作成しなければならず、煩雑であるという問題がある。
【０００７】
本発明はこのような事情に鑑みてなされたもので、写真館や撮影スタジオ等でデジタル撮影された顧客の画像の画像ファイルのファイル名を顧客の特定が可能なファイル名にリネームし、リネームした画像ファイルを顧客の特定が可能なフォルダ名を有する顧客別フォルダに保存することができる画像保存装置及び方法を提供することを目的とする。
【課題を解決するための手段】
【０００８】
前記目的を達成するために請求項１に係る画像保存装置は、写真撮影を行う顧客ごとにユニークな識別情報を入力する識別情報入力手段と、前記識別情報入力手段によって入力された識別情報に基づいて前記識別情報を有するフォルダ名のフォルダを顧客別フォルダとして自動生成するフォルダ作成手段と、前記顧客の画像を撮影するデジタルカメラから撮影毎に出力される画像ファイルであって、前記デジタルカメラによって自動的にファイル名が生成された画像ファイルを取り込み、監視フォルダに保存させる画像入力手段と、前記監視フォルダに新たな画像ファイルが保存されたか否かを監視する監視手段と、前記監視手段によって前記監視フォルダに画像ファイルが保存されたことが検知されると、前記識別情報入力手段によって入力された識別情報と前記顧客の画像の画像番号を示す連番とを含むファイル名を自動生成するファイル名自動生成手段と、前記監視手段によって前記監視フォルダに画像ファイルが保存されたことが検知されると、その検知された画像ファイルのファイル名を前記ファイル名自動生成手段によって生成されたファイル名に変更するファイル名変更手段と、前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、を備えたことを特徴としている。
【０００９】
即ち、写真撮影を行う顧客ごとにユニークな識別情報を入力すると、その識別情報を有するフォルダ名のフォルダ（顧客別フォルダ）が自動生成される。顧客の画像を撮影するデジタルカメラから撮影毎に出力される画像ファイルは一旦、監視フォルダに保存される。尚、監視フォルダに保存されている時点の画像フォルダには、デジタルカメラによって自動的に生成されたファイル名が付けられている。
【００１０】
前記監視フォルダに新たな画像ファイルが保存されたか否かが常時監視され、監視フォルダに画像ファイルが保存されたことが検知されると、前記入力された識別情報と顧客の画像の画像番号を示す連番とを含むファイル名が自動生成される。そして、監視フォルダに保存された画像ファイルのファイル名は、前記自動生成されたファイル名に変更（リネーム）され、そのリネームされた画像ファイルは、監視フォルダからリネームされた画像ファイルのファイル名に含まれる識別情報と同一の識別情報を有するフォルダ名の顧客別フォルダに移動させられる。
【００１１】
請求項２に係る画像保存装置は、写真撮影を行う顧客ごとにユニークな識別情報を入力する識別情報入力手段と、前記識別情報入力手段によって入力された識別情報に基づいて前記識別情報を有するフォルダ名のフォルダを顧客別フォルダとして自動生成するフォルダ作成手段と、前記顧客の画像を撮影するデジタルカメラの記録メディアに記録され、該デジタルカメラによって自動的にファイル名が生成された画像ファイルを読み出すためドライブ内のフォルダを監視フォルダとし、該監視フォルダに画像ファイルが保存されたか否かを監視する監視手段と、前記監視手段によって前記監視フォルダに画像ファイルが保存されたことが検知されると、前記識別情報入力手段によって入力された識別情報と前記顧客の画像の画像番号を示す連番とを含むファイル名を自動生成するファイル名自動生成手段と、前記監視手段によって前記監視フォルダに画像ファイルが保存されたことが検知されると、その検知された画像ファイルのファイル名を前記ファイル名自動生成手段によって生成されたファイル名に変更するファイル名変更手段と、前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、を備えたことを特徴としている。
【００１２】
即ち、前記デジタルカメラの記録メディアに１顧客分の画像が記録された場合、この記録メディアが装填されるカードリーダ等のドライブのフォルダを監視フォルダとすることで、上記請求項１に係る発明と同様に顧客の画像ファイルのリネーム及び顧客別フォルダへの移動を可能にしている。
【００１３】
請求項３に示すように請求項１又は２に記載の画像保存装置において、前記識別情報は、ＤＰ袋に印刷されているＤＰ袋情報である。尚、ＤＰ袋には、例えば１３桁のＤＰ袋番号が予め印刷されており、このＤＰ袋番号を前記識別情報として利用する。
【００１４】
請求項４に示すように請求項３に記載の画像保存装置において、前記ＤＰ袋に印刷されているＤＰ袋情報はバーコードからなり、前記識別情報入力手段はバーコードリーダであることを特徴としている。バーコードリーダでバーコードからなるＤＰ袋番号を読み取ることで、前記識別情報を簡単にかつ正確に入力することができる。
【００１５】
請求項５に示すように請求項１又は２に記載の画像保存装置において、顧客を特定するための顧客情報を入力する顧客情報入力手段と、前記識別情報入力手段によって前記識別情報とともに、前記顧客情報入力手段によって顧客情報が入力されると、前記識別情報に関連付けて顧客情報が登録された顧客データベースを作成する顧客データベース作成手段とを有することを特徴としている。これにより、識別情報を基に顧客情報を管理することができる。
【００１６】
請求項６に示すように請求項１又は２に記載の画像保存装置において、前記監視フォルダに保存された画像ファイルにサムネイル画像が付属情報として付加されているか否かを判別する判別手段と、前記判別手段によってサムネイル画像が付加されていないと判別されると、前記画像ファイル内の主画像からサムネイル画像を作成して前記ファイル名が変更される画像ファイルの付属情報として付加する手段と、を有することを特徴としている。即ち、デジタルカメラから出力される画像ファイルには、サムネイル画像が付属情報として付加されていないものがあるが、請求項６に係る発明によれば、リネームして保存する画像ファイルには、サムネイル画像を付属情報として付加することができる。
【００１７】
請求項７に係る画像保存方法は、写真撮影を行う顧客ごとにユニークな識別情報を入力するステップと、前記入力された識別情報に基づいて前記識別情報を有するフォルダ名のフォルダを顧客別フォルダとして自動生成するステップと、前記顧客の画像を撮影するデジタルカメラから撮影毎に出力される画像ファイルであって、前記デジタルカメラによって自動的にファイル名が生成された画像ファイルを取り込み、監視フォルダに保存させるステップと、前記監視フォルダに新たな画像ファイルが保存されたか否かを監視するステップと、前記監視フォルダに画像ファイルが保存されたことが検知されると、前記入力された識別情報と前記顧客の画像の画像番号を示す連番とを含むファイル名を自動生成するステップと、前記監視フォルダに画像ファイルが保存されたことが検知されると、その検知された画像ファイルのファイル名を前記ファイル名自動生成手段によって生成されたファイル名に変更するステップと、前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、を含むことを特徴としている。
【００１８】
請求項８に係る画像保存方法は、写真撮影を行う顧客ごとにユニークな識別情報を入力するステップと、前記入力された識別情報に基づいて前記識別情報を有するフォルダ名のフォルダを顧客別フォルダとして自動生成するステップと、前記顧客の画像を撮影するデジタルカメラの記録メディアに記録され、該デジタルカメラによって自動的にファイル名が生成された画像ファイルを読み出すためドライブ内のフォルダを監視フォルダとし、該監視フォルダに画像ファイルが保存されたか否かを監視するステップと、前記監視フォルダに画像ファイルが保存されたことが検知されると、前記入力された識別情報と前記顧客の画像の画像番号を示す連番とを含むファイル名を自動生成するステップと、前記監視フォルダに画像ファイルが保存されたことが検知されると、その検知された画像ファイルのファイル名を前記ファイル名自動生成手段によって生成されたファイル名に変更するステップと、前記監視フォルダに保存された画像ファイルを前記監視フォルダから顧客別フォルダに移動させる際に、前記変更後のファイル名に含まれる識別情報と同一の識別情報を有するフォルダ名の顧客別フォルダに移動させるファイル転送手段と、を含むことを特徴としている。
【発明の効果】
【００１９】
本発明によれば、顧客ごとにユニークな識別情報を入力するだけで、デジタルカメラから取得される画像ファイルのファイル名を、前記識別情報を含むファイル名にリネームすることができ、また、前記識別情報を有するフォルダ名のフォルダ（顧客別フォルダ）を自動生成して前記リネームされた画像ファイルを対応する顧客フォルダに振り分けて保存することができ、これにより顧客別の複数の画像ファイルを利用しやすくなる。
【発明を実施するための最良の形態】
【００２０】
以下添付図面に従って本発明に係る画像保存装置及び方法の好ましい実施の形態について説明する。
【００２１】
図１は本発明に係る画像保存装置の実施の形態を示すブロック図であり、この画像保存装置はパソコン１によって構成することができる。
【００２２】
パソコン１は、主として各構成要素の動作を制御する中央処理装置（ＣＰＵ）１０と、装置の制御プログラムが格納されたり、プログラム実行時の作業領域となる主メモリ１２と、パソコン１のオペレーティングシステム（ＯＳ）、パソコン１に接続された周辺機器のデバイスドライバ、本発明に係る画像保存用のプログラムを含む各種のアプリケーションソフト、顧客の画像等が格納されるハードディスク装置１４と、ＣＤ−ＲＯＭドライブ１６と、液晶ディスプレイ、ＣＲＴディスプレイ等の表示器３０の表示を制御するグラフィックボード１８と、キーボード３２のキー操作を検出して指示入力としてＣＰＵ１０に出力するキーボードコントローラ２０と、位置入力装置としてのマウス３４の状態を検出して表示器３０上のマウスポインタの位置やマウス３４の状態等の信号をＣＰＵ１０に出力するマウスコントローラ２２と、バーコードリーダ３６と接続してバーコード情報の入力が可能なＵＳＢ等のインターフェース２４と、デジタルカメラ４０と接続して画像データ等の入力が可能なＩＥＥＥ１３９４等のインターフェース２６と、上記各構成要素を接続するバス２８とから構成されている。
【００２３】
尚、上記構成のパソコン１は、ハードディスク装置１４に格納されている、本発明に係る画像保存用のプログラムを除いて周知のものであるため、各構成要素の詳細な説明については省略する。
【００２４】
バーコードリーダ３６は、写真プリントを入れるためのＤＰ（Developing and Printing)袋に印刷されているバーコードを読み取るために設けられており、パソコン１のＵＳＢコネクタに接続できるようになっている。
【００２５】
即ち、ＤＰ袋には、ユニークなＤＰ袋情報（この実施の形態では、７桁の取引先コードと、５桁の受付ナンバーと、１桁のチェックデジットを示す１３桁の数字を示すバーコード）が印刷されており、バーコードリーダ３６は、後述するように顧客ごとに渡されるＤＰ袋のバーコードを読み取り、このバーコードを顧客識別情報（顧客ＩＤ）としてパソコン１に入力する。
【００２６】
デジタルカメラ４０は、写真館、撮影スタジオ、イベント会場等に設置されるもので、写真撮影を希望する顧客は、デジタルカメラ４０によってデジタル撮影される。デジタルカメラ４０は、パソコン１に接続されており、顧客を撮影する毎にＩＥＥＥ１３９４インターフェース２６を介してパソコン１に画像ファイルを転送する。
【００２７】
このデジタルカメラ４０から出力される画像ファイルは、ＤＣＦ規定によりデジタルカメラ４０によりファイル名が自動的に付けられたＤＣＦファイルであり、ファイル名は、次表のように作成される
。
【表１】
2005109760.tif 000003
尚、新たに作成されるＤＣＦファイルのファイル番号は、最大番号＋１の連番が推奨されており、デジタルカメラ４０は、撮影ごとに連番のファイル番号を含むファイル名のＤＣＦファイルを出力する。
【００２８】
次に、デジタルカメラ４０で撮影した顧客別の画像のＤＣＦファイルのファイル名をリネームし、顧客別フォルダに振り分けて保存する画像保存方法について説明する。
【００２９】
図２及び図３はそれぞれ本発明に係る画像保存方法による処理内容を示すフローチャートである。
【００３０】
図２において、まずパソコン１の画像保存用プログラムを起動させたのち、これから撮影を行う顧客の受付入力をパソコン１を用いて行う（ステップＳ１０）。受付入力時のパソコン１の表示器３０には、図４に示す顧客情報の登録画面が表示される。
【００３１】
この受付入力では、図４に示すように顧客ＩＤ、撮影日、顧客名、顧客住所、電話番号、及び衣装の種類等が入力される。顧客ＩＤの入力は、顧客に渡されるＤＰ袋のＤＰ袋情報（１３桁のバーコード）を、バーコードリーダ３６で読み取ることによって行う。撮影日はデフォルトで受付日が入力され、衣装の種類はコンボボックスから顧客の好みに応じたものが選択されて入力される。その他の顧客情報は、キーボード等によって適宜入力される。
【００３２】
ステップ１０で入力された顧客情報は、表示器３０の「登録」ボタンを押すことによって顧客ＩＤに関連付けて顧客データベースに登録され管理される（ステップＳ１２）。
【００３３】
次に、受付入力が終了した顧客の撮影を行う場合には、図３に示すように、まず撮影を行う顧客のＤＰ袋からバーコードリーダ３６によりＤＰ袋情報（顧客ＩＤ）を再び読み込む（ステップＳ２０）。
【００３４】
これにより、パソコン１は、顧客の画像ファイルを格納するための顧客別フォルダを自動生成する（ステップＳ２２）。このとき、顧客別フォルダのフォルダ名として、ステップ２０で読み込んだＤＰ袋情報（顧客ＩＤ）を使用する。また、顧客ＩＤにより顧客データベースに登録されている顧客情報の検索と表示を行う。
【００３５】
図５は顧客を撮影する際の表示器３０に表示される表示内容の一部を示しており、表示器３０には、顧客ＩＤにより検索した顧客情報やデジタルカメラ４０から取得される画像ファイルの転送先の情報等が表示されている。
【００３６】
デジタルカメラ４０による顧客別の撮影開始時には、図５上の「ファイル監視監視／終了」ボタンを押し、後述する監視フォルダに画像ファイルが入ったか否かを監視する監視状態にし、顧客別の撮影が終了すると、「ファイル監視開始／終了」ボタンを再び押して未監視状態にする。
【００３７】
デジタルカメラ４０は、シューティングソフトにより顧客を撮影するごとに、撮影した画像の画像ファイルをＩＥＥＥ１３９４ケーブルで接続されたパソコン１に画像ファイルを転送する（ステップＳ４０、Ｓ４２）。そして、顧客の所要の撮影が終了するまで、撮影と画像ファイルの転送を繰り返す（ステップＳ４０〜Ｓ４４）。
【００３８】
前記デジタルカメラ４０から転送される画像ファイルは、パソコン１の監視フォルダに保存される。この監視フォルダは、デジタルカメラ４０からの画像ファイルの転送先のフォルダとして割り当てられた固定のフォルダであり、この実施の形態では、「マイドキュメント」のフォルダが監視フォルダとして割り当てられている。
【００３９】
パソコン１は、監視フォルダに画像ファイルが保存されているか否かを、デジタルカメラ４０での撮影間隔よりも十分に短い間隔（例えば、０．２秒）で監視する（ステップＳ２４、Ｓ２６）。そして、監視フォルダに画像ファイルが格納されていることが検知されると、監視フォルダに格納されている画像ファイルのファイル名（ＤＣＦ規則によるファイル名）を変更（リネーム）するための新たなファイル名を自動生成する（ステップＳ２８）。
【００４０】
ここで、新たなファイル名は、顧客ＩＤ＋撮影日＋撮影番号（連番）＋拡張子のリネーム規則に基づいて自動生成される。この実施の形態では、新たなファイル名は、7788888999999-20030626-0001.JPG 、7788888999999-20030626-0002.JPG 、…となる。尚、撮影番号は、元のＤＣＦファイルの４桁のファイル番号を使用する。
【００４１】
続いて、監視フォルダに格納されたＤＣＦファイルのファイル名を、ステップ２８で自動生成した新たなファイル名にリネームし（ステップＳ３０）、このリネームした画像ファイルを監視フォルダから顧客別フォルダに移動させる（ステップＳ３２）。ここで、リネームした画像ファイルの移動先の顧客別フォルダは、ステップＳ２２で自動生成した同じ顧客ＩＤを有するフォルダ名（この実施の形態では、7788888999999 のフォルダ名) の顧客別フォルダである。
【００４２】
画像ファイルのリネーム及び顧客別フォルダへの移動が終了すると、顧客の撮影が終了したか否か（ファイル監視が終了したか否か）を判別し（ステップＳ３４）、ファイル監視が終了していない場合にはステップＳ２４に戻り、図５に示した「ファイル監視開始／終了」ボタンが押されてファイル監視が終了すると、その顧客の画像ファイルの保存処理が終了する。
【００４３】
その後、プリント注文する画像を選択する場合には、顧客別のＤＰ袋からバーコードリーダ３６によりＤＰ袋情報（顧客ＩＤ）を読み込み、この顧客ＩＤに基づいて顧客データベースから顧客情報を検索し、顧客情報を表示器３０に表示するとともに、顧客ＩＤに対応する顧客別フォルダから画像ファイルを読み出して表示器３０に画像を表示し、プリントする画像を選択するためのプレゼンテーションを行う。そして、プリント注文する画像の画像ファイルが選択されると、その選択された画像ファイルは、プリントスプール先にコピーされて保存される。また、顧客別フォルダ内の画像ファイルもファイル名先頭に識別情報「Ｍ」を付けてリネーム保存される。
【００４４】
尚、この実施の形態では、顧客ＩＤ＋撮影日＋撮影番号（連番）＋拡張子のリネーム規則によりファイル名を自動生成するようにしたが、顧客ＩＤ＋撮影番号（連番）＋拡張子のリネーム規則によりファイル名を自動生成してもよい。
【００４５】
また、デジタルカメラの種類によって、又はデジタルカメラから出力されるファイル形式によっては、デジタルカメラから出力される画像ファイルに主画像を縮小した縮小画像（サムネイル画像）が付属情報として付加されていないものがある。この場合、監視フォルダに一時保存された画像ファイルにサムネイル画像が付属情報として付加されているか否かを判別し、サムネイル画像が付属していない場合には、その画像ファイル内の主画像からサムネイル画像を作成し、これをリネームして顧客別フォルダに保存する画像ファイルの付属情報として付加する。
【００４６】
上記実施の形態では、パソコン１に接続されたデジタルカメラ４０から画像ファイルを撮影毎に直接転送する場合について説明したが、これに限らず、スマートメディア、マイクロドライブ、コンパクトフラッシュ等のデジタルカメラの記録メディア内に１顧客分の撮影で取得した画像ファイルを記録し、この記録メディアに記録された画像ファイルをパソコン１のドライブで読み込ませる際に、一度にリネームして顧客別フォルダに転送するようにしてもよい。
【００４７】
この場合、記録メディアのカードリーダ等のドライブ内のフォルダを監視フォルダとして設定する。パソコン１は、この監視フォルダに画像ファイルが保存されているか否か（即ち、カードリーダに画像ファイルが記録された記録メディアが装填されたか否か）を監視し、監視フォルダに画像ファイルが格納されていることが検知されると、その画像ファイルのデジタルカメラによって付けられたファイル名を、前述したリネーム規則と同様にして自動生成された新たなファイル名にリネームする。そして、このリネームした画像ファイルを監視フォルダから顧客別フォルダに移動させる。
【００４８】
これにより、１顧客分の複数の画像ファイルを一括してリネームして顧客別フォルダに保存することができる。尚、この場合、新たな顧客を撮影する際に使用する記録メディアは、全コマ消去又はフォーマットしておく必要がある。
【図面の簡単な説明】
【００４９】
【図１】本発明に係る画像保存装置の実施の形態を示すブロック図
【図２】本発明に係る画像保存方法における受付入力等の処理内容を示すフローチャート
【図３】本発明に係る画像保存方法における画像ファイルのリネーム及び顧客別フォルダへの転送処理等を示すフローチャート
【図４】受付入力時の表示器の画面を示す図
【図５】画像の撮影保存時の表示器の画面の一部を示す図
【符号の説明】
【００５０】
１…パソコン、１０…中央処理装置（ＣＰＵ）、１２…主メモリ、１４…ハードディスク装置、１８…グラフィックボード、２０…キーボードコントローラ、２２…マウスコントローラ、２４、２６…インターフェース、３０…表示器、３２…キーボード、３４…マウス、３６…バーコードリーダ、４０…デジタルカメラ
【図１】
2005109760.tif 000004
【図２】
2005109760.tif 000005
【図３】
2005109760.tif 000006
【図４】
2005109760.tif 000007
【図５】
2005109760.tif 000008